(57)【特許請求の範囲】
【請求項１】
棒状の本体と、
該本体の一端から該本体の軸線方向に延設された歯牙端当接手段と、
前記本体の軸線方向に対して垂直な方向に移動可能な主軸と、
前記歯牙端当接手段の先端部に相対向する位置において、前記本体の軸線方向に延設された針状部材と、
前記主軸の一端から前記本体の軸線方向に延設され、一端に前記針状部材を装着する装着部を有する針状部材保持手段と、
前記主軸の前記針状部材保持手段が固定されている端部とは異なる端部に当接し、前記本体の軸線方向に対して垂直な軸線回りに回転することにより、該本体と前記主軸との相対位置を変化させる相対位置調整手段とを備え、
該相対位置調整手段は、前記主軸の前記針状部材保持手段が固定されている端部とは異なる端部に当接し、該相対位置調整手段が前記本体の軸線方向に対して垂直な軸線回りに回転することにより、前記本体の軸線方向に対して垂直な方向において、前記主軸と該相対位置調整手段との相対位置を変化させる軸受手段と、
前記主軸を前記相対位置調整手段の前記軸受手段側に付勢する付勢手段と、
前記相対位置調整手段の回転方向の位置を静止可能に規制する回転規制手段とを備え、
前記相対位置調整手段は、前記本体の軸線方向に対して垂直な軸線を有する円柱状に形成されるとともに、外周面に円周方向に所定の間隔で形成された複数の半球状凹部を備え、
前記回転規制手段は、前記本体の軸線方向に移動可能で、前記複数の半球状凹部のいずれかに選択的に、かつ該半球状凹部側に付勢された状態で挿入可能な球状部材を備えることを特徴とする歯列矯正用ブラケット位置決めゲージ。
【請求項２】
前記針状部材は、けがき用芯材又はブラケット装着用部材であることを特徴とする請求項１に記載の歯列矯正用ブラケット位置決めゲージ。
【請求項３】
前記本体は、前記主軸を該本体の軸線方向に対して垂直な方向に移動可能に保持する保持部から、前記歯牙端当接手段が固定された端部とは異なる端部側に離間した位置を境界として、前記歯牙端当接手段が固定された端部側部分と残りの部分とが、該本体の軸線が存在し、前記主軸の軸線方向に対して垂直な面内において、相対回転可能に形成されることを特徴とする請求項１又は２に記載の歯列矯正用ブラケット位置決めゲージ。
【発明の詳細な説明】
【技術分野】
【０００１】
本発明は、歯列矯正用ブラケット位置決めゲージ（以下、適宜「位置決めゲージ」という）に関し、特に、矯正の対象となる歯の表面の適正な位置に歯列矯正用ブラケット（以下、適宜「ブラケット」という）を装着することを容易にし、歯列矯正を有効に行うことのできる位置決めゲージに関する。
【背景技術】
【０００２】
従来、歯列矯正を行うにあたって、金属製等のブラケットを患者の歯に接着剤で固定し、このブラケットに細いワイヤーを結さつして外力を加え、矯正を要する歯を適正な位置に移動させていた。
【０００３】
ブラケットを患者の歯に装着する際には、図１９に示すように、ブラケット８４の垂直方向の中心線８５を矯正対象の歯のクリニカルクラウンのフェイシャルアキシス（Facial axis of the clinical crown、以後「ＦＡＣＣ」と呼ぶ）８１に合わせるとともに、アーチワイヤスロット８６の底面８６ａの中心（ベースポイント）８６ｂをミッドトランスバースプレーン（Midtransverse Plane）８２に合わせる必要がある。このようにブラケット８４を適正に位置決めしなければ、ブラケット８４を介して歯にアーチワイヤの荷重を適正に付加することができず、有効な歯列矯正を行うことができないからである。
【０００４】
そこで、従来、ブラケットのベースポイントをミッドトランスバースプレーンに合わせるため、歯牙端（切断面、咬合面）を基準として３．０〜５．０ｍｍの高さを計測したり、ブラケットのベースポイントを上記高さに位置決めするためのゲージが用いられている。
【０００５】
例えば、特許文献１には、ブラケットの中心部に穿設された凹部に軸の先端を挿入し、歯牙端からの距離を測定しながらブラケットを歯面に装着するための位置決めゲージが開示されている（同文献の図１〜図４参照）。
【０００６】
一方、特許文献２には、従来技術として、特許文献１に記載の位置決めゲージと同様のものが紹介されているとともに（同文献の図２（ｃ）参照）、ブラケットの位置決めのみならず、前歯及び奥歯へのブラケットの装着を容易にし、ブラケットの把持を容易に行うことも可能で、隣接臼歯部のトルク角度、ローテーション角度及びアンギュレーション角度の矯正を正確に行うことを可能とする歯列矯正用ブラケット取付装置が提案されている（同文献の図４参照）。
【０００７】
【特許文献１】米国特許第５６０７２９９号公報
【特許文献２】特開２００１−２１２１５９号公報
【発明の開示】
【発明が解決しようとする課題】
【０００８】
上述のように、ブラケットを各歯面に装着する際には、ブラケットのベースポイントを歯牙端を基準として３．０〜５．０ｍｍの高さに位置決めする必要があり、装着対象の歯の種類に応じて０．２５ｍｍ及び０．５ｍｍ刻みに装着位置を変化させる必要がある。表１は、各歯について、ブラケットのベースポイントの歯牙端からの位置決め高さを示す。
【０００９】
【表１】
0004499146.tif 000002
【００１０】
しかし、特許文献１に記載の位置決めゲージ、及び特許文献２の従来技術として紹介されている位置決めゲージは、歯牙端に当接させる歯面ガイドと、ブラケットの中心部に形成された凹部に挿入され、所定の高さにブラケットを位置決めするための軸の先端との間が固定されているため、ブラケットの装着対象の歯の種類に応じて、歯面ガイドと軸の先端との間の距離が異なる複数種類の位置決めゲージを用意する必要があった。
【００１１】
一方、特許文献２において提案されている歯列矯正用ブラケット取付装置は、一つの装置で種々の機能を発揮することができ、ブラケットの装着対象の歯の種類が変化しても一つの装置で対応することができるものの、装置の構造が複雑であるため、装置の製造コストが高くなるという問題があった。
【００１２】
そこで、本発明は、上記従来の位置決めゲージ等における問題点に鑑みてなされたものであって、すべての種類の歯に対応することができ、製造コストを低く抑え、歯列矯正における歯面へのマーキング及びブラケットの装着作業を容易に行うことのできる位置決めゲージを提供することを目的とする。
【課題を解決するための手段】
【００１３】
上記目的を達成するため、本発明は、位置決めゲージであって、棒状の本体と、  該本体の一端から該本体の軸線方向に延設された歯牙端当接手段と、前記本体の軸線方向に対して垂直な方向に移動可能な主軸と、前記歯牙端当接手段の先端部に相対向する位置において、前記本体の軸線方向に延設された針状部材と、前記主軸の一端から前記本体の軸線方向に延設され、一端に前記針状部材を装着する装着部を有する針状部材保持手段と、前記主軸の前記針状部材保持手段が固定されている端部とは異なる端部に当接し、前記本体の軸線方向に対して垂直な軸線回りに回転することにより、該本体と前記主軸との相対位置を変化させる相対位置調整手段とを備え、該相対位置調整手段は、前記主軸の前記針状部材保持手段が固定されている端部とは異なる端部に当接し、該相対位置調整手段が前記本体の軸線方向に対して垂直な軸線回りに回転することにより、前記本体の軸線方向に対して垂直な方向において、前記主軸と該相対位置調整手段との相対位置を変化させる軸受手段と、前記主軸を前記相対位置調整手段の前記軸受手段側に付勢する付勢手段と、前記相対位置調整手段の回転方向の位置を静止可能に規制する回転規制手段とを備え、前記相対位置調整手段は、前記本体の軸線方向に対して垂直な軸線を有する円柱状に形成されるとともに、外周面に円周方向に所定の間隔で形成された複数の半球状凹部を備え、前記回転規制手段は、前記本体の軸線方向に移動可能で、前記複数の半球状凹部のいずれかに選択的に、かつ該半球状凹部側に付勢された状態で挿入可能な球状部材を備えることを特徴とする。
【００１４】
そして、本発明によれば、相対位置調整手段によって本体と主軸との相対位置を変化させることにより、歯牙端当接手段と針状部材との間隔を変化させることができるため、一本の位置決めゲージによってすべての種類の歯に対応することができ、歯列矯正におけるブラケットの装着作業を容易に行うことが可能となり、ゲージの構成も簡単であるため、製造コストを低く抑えることができる。また、相対位置調整手段を回転させるだけで、前記本体と前記主軸との相対位置、ひいては歯牙端当接手段と針状部材との間隔を変化させることができるため、簡易な構成で安定した動作を確保することができ、使い勝手のよい位置決めゲージを提供することができる。さらに、回転規制手段によって、相対位置調整手段の回転方向の位置を静止可能に規制することで、歯牙端当接手段と針状部材との間隔を安定した動作によって変化させることができる。また、球状部材を、相対位置調整手段の前記複数の半球状凹部のいずれかに選択的に、かつ該半球状凹部側に付勢された状態で挿入することでクリック感を生じさせ、位置決めゲージの操作性をさらに向上させることができる。
【００１５】
前記位置決めゲージにおいて、前記針状部材を、けがき用芯材又はブラケット装着用部材とすることができ、この位置決めゲージを、けがき用芯材を用いたマーキング用、及びブラケット装着用の両用とすることができる。
【００１９】
前記位置決めゲージにおいて、前記本体を、前記主軸を該本体の軸線方向に対して垂直な方向に移動可能に保持する保持部から、前記歯牙端当接手段が固定された端部とは異なる端部側に離間した位置を境界として、前記歯牙端当接手段が固定された端部側部分と残りの部分とが、該本体の軸線が存在し、前記主軸の軸線方向に対して垂直な面内において、相対回転可能に形成することができる。これにより、第一小臼歯より奥の歯を矯正対象とする場合に、本体の歯牙端当接手段が固定された端部側を回転させて、歯面へのマーキング及びブラケットの装着作業を容易に行うことができる。
【発明の効果】
【００２０】
以上説明したように、本発明によれば、すべての種類の歯に対応することができ、製造コストを低く抑え、歯列矯正における歯面へのマーキング及びブラケットの装着作業を容易に行うことのできる位置決めゲージを提供することができる。
【発明を実施するための最良の形態】
【００２１】
次に、本発明の実施の形態について図面を参照しながら説明する。
【００２２】
図１は、本発明にかかる位置決めゲージの第１の実施形態を示し、この位置決めゲージ１は、大別して、ホルダー（本体）２と、歯面ガイド（歯牙端当接手段）１８と、主軸３と、けがき芯（針状部材）１１を備えたけがきヘッド（針状部材保持手段）１３と、高さ調整つまみ（相対位置調整手段）４等を備える。
【００２３】
次に、位置決めゲージ１を構成する各部品について、図１及び図２を同時に参照しながら、各部品について記載した各々の図面を用いて説明する。
【００２４】
ホルダー２は、図３に示すように、６角柱状に形成された把持部２ａと、主軸３が挿通する貫通孔２ｂと、歯面ガイド１８を装着するための装着部２ｃと、歯面ガイド１８を固定するためのねじ（不図示）が挿通する貫通孔２ｅと、ホルダー２にオートロックばね受け２１を固定するためのねじ２２と螺合する雌ねじ部２ｄと、目印ピン２３が挿通する貫通孔２ｆとを備える。
【００２５】
主軸３は、図４に示すように、円柱状の基部３ａと、基部３ａより僅かに小径に形成された上端部３ｂからなり、基部３ａには、引きばね５の一端を装着するためのピン２５が挿通する貫通孔３ｄと、ホルダー２に固定された目印ピン２３が挿通する長穴状の貫通孔３ｅが穿設され、上端部３ｂには、けがき芯出し入れ調整ねじ１５が挿通する貫通孔３ｃが穿設される。
【００２６】
けがきヘッド１３は、図５に示すように、６角柱状の基部１３ａと、基部１３ａに穿設され、主軸３が挿通する貫通孔１３ｂと、けがき芯１１を保持するため２分割された保持部１３ｃと、２分割された保持部１３ｃを互いに近接させてけがき芯１１を保持するためのけがき芯ロックねじ１２（図１参照）と螺合する雌ねじ部１３ｄとを備える。
【００２７】
歯面ガイド１８は、図６に示すように、略々立方体状の基部１８ａと、基部１８ａに連続する舌状の当接部１８ｂと、基部１８ａを貫通し、歯面ガイド１８をホルダー２に固定するためのねじ（不図示）と螺合する雌ねじ部１８ｃとを備える。
【００２８】
高さ調整つまみ４は、図７に示すように、円筒状に形成され、表面にローレット加工が施されたつまみ部４ａと、つまみ部４ａの上方において、計測する高さがｍｍ単位で表示された第１目盛り部４ｂと、第１目盛り部４ｂの上方の円柱状部に円周方向に所定の間隔を開け、第１目盛り部４ｂの目盛りと対応する位置、及びこれらの目盛りの隣接する目盛りの中間部と対応する位置に配置された複数の半球状凹部４ｃと、天井面に、複数の半球状凹部４ｃに対応する位置に、切削溝状のマークが施された第２目盛り部４ｄと、つまみ部４ａの内部において下方に開口し、天井面が傾斜し、高さ調整ねじ８の突出部８ｃと当接する高さ調整部４ｅとを備える。
【００２９】
高さ調整ねじストッパー７は、図８に示すように、基板７ａと、基板７ａの右端部に立設された立上部７ｂと、基板７ａを上下方向に貫通し、主軸３が挿通する貫通孔７ｃと、基板７ａの上下方向に延設され、高さ調整ねじ８と螺合する雌ねじ部７ｄと、基板７ａを水平方向に貫通し、引きばね５の下端部を装着するピン２５が挿通する貫通孔７ｅと、立上部７ｂに螺設され、ロックねじ（任意位置固定ねじ）６と螺合する雌ねじ部７ｆとを備える。
【００３０】
オートロックばね受け２１は、図９に示すように、本体２１ａの右端部に位置し、高さ調整つまみ４の複数の半球状凹部４ｃに相対向して位置する突出部２１ｂと、突出部２１ｂの中央部からオートロックばね受け２１の長手方向に穿設された貫通孔２１ｅと、ホルダー２の左端部の形状に合わせて形成された左端部２１ｃと、左端部２１ｃの左端面からオートロックばね受け２１の長手方向に螺設された雌ねじ部２１ｆと、このオートロックばね受け２１をホルダー２に装着するためのねじ２２と螺合する雌ねじ部２１ｄと、歯面ガイド１８をホルダー２に装着するためのねじ（不図示）のねじ頭をかわすための凹部２１ｇとを備える。
【００３１】
高さ調整ねじ８は、図１０に示すように、雄ねじ部８ｂが螺設された本体８ａの上端部に半球状の突出部８ｃが設けられ、雄ねじ部８ｂが高さ調整ねじストッパー７の雌ねじ部７ｄに螺合し、突出部８ｃが高さ調整つまみ４の高さ調整部４ｅに当接する。
【００３２】
次に、位置決めゲージ１の組立方法について、図２を中心に各部品図を参照しながら説明する。
【００３３】
ホルダー２の貫通孔２ｂに主軸３の上端部３ｂを挿通した後、主軸３の貫通孔３ｅを貫通させた目印ピン２３をホルダー２に固定する。目印ピン２３に引きばね５の上端部を固定し、主軸３に高さ調整つまみ４を挿入した後、主軸３の貫通孔３ｄ及び高さ調整ねじストッパー７の貫通孔７ｅにピン２５を挿通させ、ピン２５に引きばね５の下端部を固定する。高さ調整ねじストッパー７の雌ねじ部７ｄに高さ調整ねじ８の雄ねじ部８ｂを螺合させ、高さ調整ねじストッパー７の底面に高さ調整ねじ８の下端部を固定する。また、高さ調整ねじストッパー７の雌ねじ部７ｆにロックねじ６を螺合させる。
【００３４】
次に、オートロックばね受け２１をねじ２２を介してホルダー２の左端部の下面に装着し、オートロックばね受け２１の雌ねじ部２１ｆよりボール（球状部材）１７を挿入した後、さらに押しばね２０を挿入し、ねじ１９を雌ねじ部２１ｆと螺合させることにより、押しばね２０により付勢された状態でボール１７が貫通孔２１ｅ（図９（ｃ）参照）からその一部を突出し、高さ調整つまみ４の複数の半球状凹部４ｃに選択的に挿入された状態で、半球状凹部４ｃと係合するようにねじ１９の挿入長さを調整する。次に、ホルダー２の貫通孔２ｅを挿通し、歯面ガイド１８の雌ねじ部１８ｃと螺合するねじ（不図示）によって、歯面ガイド１８をホルダー２の左端部の装着部２ｃに装着する。
【００３５】
主軸３の上端部３ｂをけがきヘッド１３の貫通孔１３ｂに挿通し、けがきヘッド１３を主軸３に固定する。けがきヘッド１３とけがきヘッド固定ねじ１４を螺合させた後、けがき芯出し入れ調整ねじ１５をけがきヘッド固定ねじ１４に螺合させる。けがき芯１１をけがきヘッド１３の保持部１３ｃに挿入し、雌ねじ部１３ｄと螺合するけがき芯ロックねじ１２を締めてけがき芯１１を固定する。
【００３６】
次に、上記位置決めゲージ１の使用方法について、上顎の犬歯にブラケットを装着するためのマーキングをする場合を例にとって、図１１を参照しながら説明する。
【００３７】
ホルダー２を把持し、けがきヘッド１３にけがき芯１１を装着する。けがき芯１１のけがきヘッド１３からの突出長さをけがき芯出し入れ調整ねじ１５を用いて調整する。また、高さ調整つまみ４のつまみ部４ａを指で回転させながら目印ピン２３に高さ調整つまみ４の第１目盛り部４ｂの「５」と記載された目盛りを合わせる。これにより、オートロックばね受け２１の貫通孔２１ｅに挿入されたボール１７（図２参照）が高さ調整つまみ４の半球状凹部４ｃに挿入され、高さ調整つまみ４の回転を規制する。この状態で、歯面ガイド１８とけがき芯１１との間隔Ｌが５ｍｍに設定されたこととなる。
【００３８】
そこで、歯面ガイド１８を犬歯の歯牙端に当接させた状態でホルダー２を水平方向に移動させ、けがき芯１１の先端で犬歯の表面にマーキングを行う。尚、犬歯にブラケットを装着する場合には、けがき芯１１に代えて針状部材（不図示）を装着し、ブラケットの凹部又は貫通孔に針状部材の先端を挿入し、歯面ガイド１８を犬歯の歯牙端に当接させた状態でホルダー２を水平方向に移動させ、予め犬歯の表面にマークしたＦＡＣＣ８１（図１９参照）に針状部材の先端を合わせることにより、ブラケットを犬歯の表面の所定の位置に簡単かつ適切に位置決めすることができる。
【００３９】
尚、上記間隔Ｌを第１目盛り部４ｂに記載されていない間隔に設定したい場合、例えば、下顎の中切歯にブラケットを装着するためのマーキングをする場合のように、間隔Ｌを４．２５ｍｍ（表１）に設定する場合には、高さ調整つまみ４のつまみ部４ａを指で回転させながら、目印ピン２３に高さ調整つまみ４の第１目盛り部４ｂの「４」と記載された目盛りと「４．５」と記載された目盛りの中間位置を合わせ、ロックねじ６を締めて高さ調節つまみ４の回転を規制する。この状態で、間隔Ｌが４．２５ｍｍに設定されたことになる。このように、高さ調整つまみ４のつまみ部４ａとロックねじ６とを操作することにより、間隔Ｌを任意に設定することができる。
【００４０】
次に、本発明にかかる位置決めゲージの第２の実施形態について、図１２〜図１８を参照しながら説明する。
【００４１】
図１２（ａ）、（ｂ）に示すように、この位置決めゲージ３１は、歯面ガイド１８と、主軸３と、けがき芯１１を備えたけがきヘッド１３と、高さ調整つまみ４等を備える点は、第１の実施形態と同様であるが、本実施の形態では、図１２（ｃ）に示すように、ボデー３２を支点として左側の部分、すなわち、歯面ガイド１８、けがき芯１１及び高さ調整つまみ４等を１８０°回転可能に構成したことを特徴とする。尚、以下の説明においては、位置決めゲージ３１の構成要素であって、第１の実施形態の位置決めゲージ１と同一のものについては、図１〜図１１に記載したものと同様の参照番号を付して詳細説明を省略する。
【００４２】
上述のように、位置決めゲージ３１を、ボデー３２を支点として歯面ガイド１８等を回転可能とするため、図１３に示するように、本実施の形態では、第１の実施形態の位置決めゲージ１のホルダー２に代えて、ボデー３２と、ロック用フック３３と、ロック用シャフト３４と、ホルダー３５と、ロック用つまみ３６と、押しばね３７と、ピン３８とボール付きピン３９とが備えられる。
【００４３】
次に、位置決めゲージ３１を構成する各部品のうち、上記ボデー３２〜ロック用つまみ３６について、図１２及び図１３を同時に参照しながら、各部品について記載した各々の図面を用いて説明する。
【００４４】
ボデー３２は、図１４に示すように、帯板状の基部３２ａと、主軸３を挿通させるため、基部３２ａを貫通する貫通孔３２ｂと、基部３２ａに連続し、右端部に位置するロック用フック装着部３２ｃと、このロック用フック装着部３２ｃを貫通し、ピン３８が挿通する貫通孔３２ｄと、オートロックばね受け２１を固定するためのねじ２２と螺合する雌ねじ部３２ｅと、歯面ガイド１８を装着するための装着部３２ｆと、歯面ガイド１８を装着するためのねじ（不図示）が挿通する貫通孔３２ｇと、押しばね３７及びボール付きピン３９が収容されるばね収容孔３２ｈとを備える。
【００４５】
ロック用フック３３は、図１５に示すように、ピン３８が挿通する貫通孔３３ｃを有するリング状部３３ａと、リング状部３３ａの右端部に位置する雄ねじ部３３ｂと、ボデー３２のばね収容孔３２ｈに収容されたボール付きピン３９のボールが当接する当接部３３ｄとを備える。
【００４６】
ロック用シャフト３４は、図１６に示すように、内部にロック用フック３３の雄ねじ部３３ｂと螺合する雌ねじ部３４ｃを有する円筒状の基部３４ａと、基部３４ａの右端部に螺設された雄ねじ部３４ｂとを備える。
【００４７】
ホルダー３５は、図１７に示すように、六角柱状に形成された基部３５ａに、ロック用シャフト３４が挿通する貫通孔３５ｂが穿設され、図１７（ａ）に明示されるように、基部３５ａの左端部に突出部３５ｃを備える。
【００４８】
ロック用つまみ３６は、図１８に示すように、円筒状に形成される基部３６ａの内部に、ロック用シャフト３４の雄ねじ部３４ｂと螺合する雌ねじ部３６ｂが螺設される。基部３６ａの表面には、ローレット加工が施される。
【００４９】
次に、位置決めゲージ３１の組立方法について、図１３を中心に各部品を描いた各図を参照しながら説明する。
【００５０】
ボデー３２の貫通孔３２ｂに主軸３の上端部３ｂを挿通させた後、主軸３の貫通孔３ｅを貫通させた目印ピン２３をボデー３２に固定する。目印ピン２３に引きばね５の上端部を固定し、主軸３に高さ調整つまみ４を挿入した後、主軸３の貫通孔３ｄ及び高さ調整ねじストッパー７の貫通孔７ｅにピン２５を挿通させ、ピン２５に引きばね５の下端部を固定する。高さ調整ねじストッパー７の雌ねじ部７ｄに高さ調整ねじ８の雄ねじ部８ｂを螺合させ、高さ調整ねじストッパー７の底面に高さ調整ねじ８の下端部を固定する。また、高さ調整ねじストッパー７の雌ねじ部７ｆにロックねじ６を螺合させる。
【００５１】
次に、オートロックばね受け２１をねじ２２を介してボデー３２の下面に装着し、歯面ガイド１８をボデー３２の貫通孔３２ｇを挿通し、雌ねじ部１８ｃと螺合するねじ（不図示）によってボデー３２の左端部の装着部３２ｆに装着する。
【００５２】
主軸３の上端部３ｂをけがきヘッド１３の貫通孔１３ｂに挿通し、けがきヘッド１３を主軸３に固定する。けがきヘッド１３とけがきヘッド固定ねじ１４を螺合させた後、けがき芯出し入れ調整ねじ１５をけがきヘッド固定ねじ１４に螺合させる。けがき芯１１をけがきヘッド１３の保持部１３ｃに挿入し、けがき芯出し入れ調整ねじ１５を締めて雌ねじ部１３ｄによってけがき芯１１を固定する。
【００５３】
次に、ボデー３２のばね収容孔３２ｈに押しばね３７及びボール付きピン３９を収容した後、ボデー３２のロック用フック装着部３２ｃにロック用フック３３のリング状部３３ａを挿入し、ピン３８を挿通させ、ボデー３２とロック用フック３３を連結する。ロック用フック３３の雄ねじ部３３ｂにロック用シャフト３４の雌ねじ部３４ｃを螺合させた後、ロック用シャフト３４をホルダー３５に挿通させ、最後に、ロック用つまみ３６の雌ねじ部３６ｂをロック用シャフト３４の雄ねじ部３４ｂに螺合させて組立が完了する。
【００５４】
次に、位置決めゲージ３１の歯面ガイド１８等を、ボデー３２を支点として回転させる要領について図１２及び図１３を中心に参照しながら説明する。
【００５５】
歯面ガイド１８等を回転させるには、図１２（ｃ）において矢印Ｘ方向にロック用つまみ３６を回転させる。すると、ピン３８、ボデー３２及びロック用フック３３の三者の互いの当接状態が緩やかなものとなり、ホルダー３５を把持した状態で、歯面ガイド１８等を自由に回転させることができる。その状態で、図１２（ｃ）において矢印Ｘ方向と反対方向にロック用つまみ３６を回転させると、ロック用つまみ３６を介してロック用シャフト３４、ロック用フック３３が図１３において左方に移動する。その結果、ピン３８、ボデー３２及びロック用フック３３の三者が互いに押圧された状態となり、歯面ガイド１８の回転が規制され、その状態を維持することができる。
【００５６】
上記位置決めゲージ３１の使用方法については、第１の実施形態における位置決めゲージ１と同様であるが、位置決めゲージ３１は、上述のように、歯面ガイド１８側を１８０°回転可能としたことにより、第一小臼歯より奥の歯を矯正対象とする場合に、歯面へのマーキング及びブラケットの装着作業を容易に行うことができる。
【図面の簡単な説明】
【００５７】
【図１】本発明にかかる位置決めゲージの第１の実施形態を示す図であって、（ａ）は正面図、（ｂ）は上面図である。
【図２】図１の位置決めゲージの分解図である。
【図３】図１の位置決めゲージのホルダーを示す図であって、（ａ）は正面図、（ｂ）は上面図である。
【図４】図１の位置決めゲージの主軸を示す図であって、（ａ）は正面図、（ｂ）は側面図である。
【図５】図１の位置決めゲージのけがきヘッドを示す図であって、（ａ）は正面図、（ｂ）は下面図、（ｃ）は上面図である。
【図６】図１の位置決めゲージの歯面ガイドを示す図であって、（ａ）は正面図、（ｂ）は下面図、（ｃ）は上面図である。
【図７】図１の位置決めゲージの高さ調整つまみを示す図であって、（ａ）は正面図、（ｂ）は上面図、（ｃ）は下面図、（ｄ）は（ｂ）のＡ−Ａ線断面図である。
【図８】図１の位置決めゲージの高さ調整ねじストッパーを示す図であって、（ａ）は正面図、（ｂ）は上面図、（ｃ）は側面図である。
【図９】図１の位置決めゲージのオートロックばね受けを示す図であって、（ａ）は正面図、（ｂ）は上面図、（ｃ）〜（ｅ）は側面図である。
【図１０】図１の位置決めゲージの高さ調整ねじを示す正面図である。
【図１１】図１の位置決めゲージの使用方法の説明図である。
【図１２】本発明にかかる位置決めゲージの第２の実施形態を示す図であって、（ａ）は正面図、（ｂ）は上面図、（ｃ）は動作説明図である。
【図１３】図１２の位置決めゲージの分解図である。
【図１４】図１２の位置決めゲージのボデーを示す図であって、（ａ）は正面図、（ｂ）は上面図である。
【図１５】図１２の位置決めゲージのロック用フックを示す図であって、（ａ）は正面図、（ｂ）は下面図、（ｃ）、（ｄ）は側面図である。
【図１６】図１２の位置決めゲージのロック用シャフトを示す図であって、（ａ）は正面図、（ｂ）は側面図である。
【図１７】図１２の位置決めゲージのホルダーを示す図であって、（ａ）は正面図、（ｂ）及び（ｃ）は側面図、（ｄ）は下面図、（ｅ）及び（ｆ）は（ｄ）の側面図である。
【図１８】図１２の位置決めゲージのロック用つまみを示す図であって、（ａ）は正面図、（ｂ）及び（ｃ）は側面図である。
【図１９】従来のトルクインフェイス型のブラケットを歯に装着する要領を説明するための概略図である。
【符号の説明】
【００５８】
１  位置決めゲージ
２  ホルダー
２ａ  把持部
２ｂ  貫通孔
２ｃ  装着部
２ｄ  雌ねじ部
２ｅ  貫通孔
２ｆ  貫通孔
３  主軸
３ａ  基部
３ｂ  上端部
３ｃ  貫通孔
３ｄ  貫通孔
３ｅ  貫通孔
４  高さ調整つまみ
４ａ  つまみ部
４ｂ  第１目盛り部
４ｃ  半球状凹部
４ｄ  第２目盛り部
４ｅ  高さ調整部
５  引きばね
６  ロックねじ
７  高さ調整ねじストッパー
７ａ  基板
７ｂ  立上部
７ｃ  貫通孔
７ｄ  雌ねじ部
７ｅ  貫通孔
７ｆ  雌ねじ部
８  高さ調整ねじ
８ａ  本体
８ｂ  雄ねじ部
８ｃ  突出部
１１  けがき芯
１２  けがき芯ロックねじ
１３  けがきヘッド
１３ａ  基部
１３ｂ  貫通孔
１３ｃ  保持部
１３ｄ  雌ねじ部
１４  けがきヘッド固定ねじ
１５  けがき芯出し入れ調整ねじ
１７  ボール
１８  歯面ガイド
１８ａ  基部
１８ｂ  当接部
１８ｃ  雌ねじ部
１９  ねじ
２０  押しばね
２１  オートロックばね受け２１
２１ａ  本体
２１ｂ  突出部
２１ｃ  左端部
２１ｄ  雌ねじ部
２１ｅ  貫通孔
２１ｆ  雌ねじ部
２１ｇ  凹部
２２  ねじ
２３  目印ピン
２５  ピン
３１  位置決めゲージ
３２  ボデー
３２ａ  基部
３２ｂ  貫通孔
３２ｃ  ロック用フック装着部
３２ｄ  貫通孔
３２ｅ  雌ねじ部
３２ｆ  装着部
３２ｇ  貫通孔
３２ｈ  ばね収容孔
３３  ロック用フック
３３ａ  リング状部
３３ｂ  雄ねじ部
３３ｃ  貫通孔
３３ｄ  当接部
３４  ロック用シャフト
３４ａ  基部
３４ｂ  雄ねじ部
３４ｃ  雌ねじ部
３５  ホルダー
３５ａ  基部
３５ｂ  貫通孔
３５ｃ  突出部
３６  ロック用つまみ
３６ａ  基部
３６ｂ  雌ねじ部
３７  押しばね
３８  ピン
３９  ボール付きピン
【図１】
0004499146.tif 000003
【図２】
0004499146.tif 000004
【図３】
0004499146.tif 000005
【図４】
0004499146.tif 000006
【図５】
0004499146.tif 000007
【図６】
0004499146.tif 000008
【図７】
0004499146.tif 000009
【図８】
0004499146.tif 000010
【図９】
0004499146.tif 000011
【図１０】
0004499146.tif 000012
【図１１】
0004499146.tif 000013
【図１２】
0004499146.tif 000014
【図１３】
0004499146.tif 000015
【図１４】
0004499146.tif 000016
【図１５】
0004499146.tif 000017
【図１６】
0004499146.tif 000018
【図１７】
0004499146.tif 000019
【図１８】
0004499146.tif 000020
【図１９】
0004499146.tif 000021